(57)【要約】      （修正有）【課題】傘の開閉動作開始時に傘軸に対する可動ロクロのロック解除を押釦の押操作で容易に行うことができるとともに、傘の開閉動作終了時に傘軸に対し可動ロクロを自動的に確実にロックすることができる逆閉じ傘を提供する。【解決手段】谷折りで二つ折りされた上側傘布２の上面同士を向かい合わせるように上側傘布２が内側に折り畳まれる構成の逆閉じ傘１において、押釦２３の押操作で傘軸４に対する可動ロクロのロック解除を行う押釦操作機構が組み込まれる摘み部２０を可動ロクロに一体的に設け、摘み部２０の内周側にガイド突起３５を設ける一方で、可動ロクロが展開位置と折畳位置との間で往復移動する際にそのガイド突起３５と係合するガイド溝３６を傘軸４に設けて、これらガイド突起３５とガイド溝３６との係合によって摘み部２０が傘軸４の軸回りに回動するのを阻止するようにする。【選択図】図１
0003206616.tif 000002
【実用新案登録請求の範囲】
【請求項１】
上下方向に延びる傘軸の上端部寄りの展開位置と下端部寄りの折畳位置との間で往復移動可能にその傘軸に装着される可動ロクロを前記折畳位置から前記展開位置へと移動させると、傘布を支持する主骨部が前記傘軸の側方に張り出すように展開され、これに伴って前記傘布がその上面全体を上方に向けるように展開される一方、前記可動ロクロを前記展開位置から前記折畳位置へと移動させると、前記主骨部がその中間部を下方に先端部を上方にそれぞれ向けるように内側に折り畳まれ、これに伴って前記傘布の径方向中間部を下方に径方向端部を上方にそれぞれ向けるように谷折りで二つ折りされた前記傘布の上面同士を向かい合わせるように前記傘布が内側に折り畳まれる構成の逆閉じ傘において、
前記傘軸の中心線に向けて付勢される位置決め突起を押釦の押操作でその付勢方向と逆方向に移動させる押釦操作機構が組み込まれる摘み部を前記可動ロクロに一体的に設け、
前記可動ロクロが前記展開位置にあるときに前記位置決め突起が係合する上側開口を前記傘軸に設けるとともに、前記可動ロクロが前記折畳位置にあるときに前記位置決め突起が係合する下側開口を前記傘軸に設け、
前記摘み部の内周側にガイド突起を設ける一方で、前記可動ロクロが前記展開位置と前記折畳位置との間で往復移動する際にそのガイド突起と係合するガイド溝を前記傘軸に設けて、これらガイド突起とガイド溝との係合によって前記摘み部が前記傘軸の軸回りに回動するのを阻止するようにしたことを特徴とする逆閉じ傘。
【考案の詳細な説明】
【技術分野】
【０００１】
本考案は、谷折りで二つ折りされた傘布の上面同士を向かい合わせるように傘布が内側に折り畳まれるようにした逆閉じ傘に関し、特に、傘の開閉動作開始時のロック解除を押釦の押操作で行うようにした逆閉じ傘に関するものである。
【背景技術】
【０００２】
一般的な傘は、上下方向に延びる傘軸に装着される可動ロクロを、傘軸の上端部寄りの展開位置から下端部寄りの折畳位置へと移動させると、傘布を支持する主骨部の先端部を下方に向けるように内側に折り畳まれるに伴って傘布がその上面（表面）を外側に向けた状態で折り畳まれる構造のものが主流である。
【０００３】
雨に濡れた傘が例えば混雑した電車内に持ち込まれると、上記のような構造の傘では、雨に濡れた傘布の表面が折畳時に外側に露出した状態となるため、電車内の周辺利用客のズボンやスカート等の衣類に触れて濡らしてしまい迷惑を及ぼすということがある。
【０００４】
また、雨降りの日に例えば車に乗る込む際に、車に乗り込むという動作と共に傘を閉じようとすると、上記のような構造の傘では、傘布を支持する主骨部がその先端部を下方に向けるように内側に折り畳まれるため、傘布に付着している水滴が頭や手元に落ちてきて不快な思いをすることがあり、その後、濡れた傘を車内の床や座席シート上に置けば、傘布に付着している水滴で床や座席シートを濡らしてしまうということがあった。
【０００５】
このような不具合を解決し得るものとして、逆閉じ傘が提案されている（特許文献１，２参照）。この種の逆閉じ傘は、傘軸に装着される可動ロクロを、展開位置から折畳位置へと移動させると、傘布を支持する主骨部がその中間部を下方に先端部を上方にそれぞれ向けるように内側に折り畳まれ、これに伴って傘布の径方向中間部を下方に径方向端部を上方にそれぞれ向けるように谷折りで二つ折りされた傘布の上面同士を向かい合わせるように傘布が内側に折り畳まれるように構成されている。
【先行技術文献】
【特許文献】
【０００６】
【特許文献１】特開２００６−１９２０９９号公報
【特許文献２】実用新案登録第３２００５７０号公報
【０００７】
ところで、傘軸に対する可動ロクロのロック機構としては、やや幅広のスリットを有する摘み部を可動ロクロに一体的に設け、可動ロクロの折畳位置で摘み部に設けられた幅広スリットに係合する下側ロック片を外側に向けて付勢した状態で傘軸に設けるとともに、可動ロクロの展開位置で摘み部の下端に引っ掛ける上側ロック片を外側に向けて付勢した状態で傘軸に設ける構成のものが一般的である。
【０００８】
ところが、逆閉じ傘において、傘の開閉動作開始時に傘軸に対する可動ロクロのロック解除を押釦の押操作で行うことができるものが望まれている。この場合、傘軸に対する可動ロクロのロック機構としては、傘軸の中心線に向けて付勢される位置決め突起を押釦の押操作でその付勢方向と逆方向に移動させる押釦操作機構が組み込まれる摘み部を可動ロクロに一体的に設け、可動ロクロが展開位置にあるときに位置決め突起が係合する上側開口を傘軸に設けるとともに、可動ロクロが折畳位置にあるときに位置決め突起が係合する下側開口を傘軸に設ける構成のものが考えられる。
【０００９】
しかしながら、押釦の押操作でロック解除可能な構成の上記ロック機構が採用された逆閉じ傘では、可動ロクロを展開位置と折畳位置との間で往復移動させる際に操作力の加え方によっては摘み部が傘軸の軸回りに回動してしまい、これによって傘軸の中心線に向けて付勢される位置決め突起と、傘軸の上側開口および下側開口との傘軸回りの相対位置がずれることになり、可動ロクロを折畳位置から展開位置へと移動させても、傘軸の上側開口に位置決め突起が係合されず、この逆も同様に、可動ロクロを展開位置から折畳位置へと移動させても、傘軸の下側開口に位置決め突起が係合されず、傘の開閉動作終了時に傘軸に対し可動ロクロをロックすることができないことがあるという問題点がある。
【考案の概要】
【考案が解決しようとする課題】
【００１０】
本考案は、前述のような問題点に鑑みてなされたもので、傘の開閉動作開始時に傘軸に対する可動ロクロのロック解除を押釦の押操作で容易に行うことができるとともに、傘の開閉動作終了時に傘軸に対し可動ロクロを自動的に確実にロックすることができる逆閉じ傘を提供することを目的とするものである。
【課題を解決するための手段】
【００１１】
前記目的を達成するために、本考案による逆閉じ傘は、
上下方向に延びる傘軸の上端部寄りの展開位置と下端部寄りの折畳位置との間で往復移動可能にその傘軸に装着される可動ロクロを前記折畳位置から前記展開位置へと移動させると、傘布を支持する主骨部が前記傘軸の側方に張り出すように展開され、これに伴って前記傘布がその上面全体を上方に向けるように展開される一方、前記可動ロクロを前記展開位置から前記折畳位置へと移動させると、前記主骨部がその中間部を下方に先端部を上方にそれぞれ向けるように内側に折り畳まれ、これに伴って前記傘布の径方向中間部を下方に径方向端部を上方にそれぞれ向けるように谷折りで二つ折りされた前記傘布の上面同士を向かい合わせるように前記傘布が内側に折り畳まれる構成の逆閉じ傘において、
前記傘軸の中心線に向けて付勢される位置決め突起を押釦の押操作でその付勢方向と逆方向に移動させる押釦操作機構が組み込まれる摘み部を前記可動ロクロに一体的に設け、
前記可動ロクロが前記展開位置にあるときに前記位置決め突起が係合する上側開口を前記傘軸に設けるとともに、前記可動ロクロが前記折畳位置にあるときに前記位置決め突起が係合する下側開口を前記傘軸に設け、
前記摘み部の内周側にガイド突起を設ける一方で、前記可動ロクロが前記展開位置と前記折畳位置との間で往復移動する際にそのガイド突起と係合するガイド溝を前記傘軸に設けて、これらガイド突起とガイド溝との係合によって前記摘み部が前記傘軸の軸回りに回動するのを阻止するようにしたことを特徴とするものである（第１考案）。
【考案の効果】
【００１２】
本考案の逆閉じ傘によれば、傘軸の中心線に向けて付勢される位置決め突起を押釦の押操作でその付勢方向と逆方向に移動させることができるので、傘の開動作開始時、すなわち可動ロクロを折畳位置から展開位置に向けて移動を開始する時、押釦の押操作によって位置決め突起を付勢方向と逆方向に移動させれば、傘軸の下側開口に位置決め突起が係合している状態を容易に解除することができ、傘の開動作開始時に傘軸に対する可動ロクロのロック解除を押釦の押操作で容易に行うことができる。また、傘の閉動作開始時、すなわち可動ロクロを展開位置から折畳位置に向けて移動を開始する時、押釦の押操作によって位置決め突起を付勢方向と逆方向に移動させれば、傘軸の上側開口に位置決め突起が係合している状態を容易に解除することができ、傘の閉動作開始時に傘軸に対する可動ロクロのロック解除を押釦の押操作で容易に行うことができる。
また、本考案の逆閉じ傘によれば、可動ロクロに一体的に設けられる摘み部のガイド突起と傘軸のガイド溝との係合によって摘み部が傘軸回りに回動することが阻止されるので、傘軸の中心線に向けて付勢される位置決め突起と傘軸の上側開口および下側開口との傘軸回りの相対位置がずれるのを確実に防ぐことができる。したがって、可動ロクロを折畳位置から展開位置へと移動させると、傘軸の上側開口に位置決め突起が確実に係合されることになり、傘の開動作終了時に傘軸に対し可動ロクロを自動的に確実にロックすることができる。また、可動ロクロを展開位置から折畳位置へと移動させると、傘軸の下側開口に位置決め突起が確実に係合されることになり、傘の閉動作終了時に傘軸に対し可動ロクロを自動的に確実にロックすることができる。
【図面の簡単な説明】
【００１３】
【図１】本考案の一実施形態に係る逆閉じ傘を示す図で、（ａ）は傘を開いた状態の全体図、（ｂ）は傘を閉じた状態の全体図、（ｃ）は（ｂ）のＡ−Ａ線断面図である。
【図２】同逆閉じ傘の骨組み構造を模式的に示す図で、（ａ）は可動ロクロが展開位置にあるときの状態図、（ｂ）は可動ロクロが折畳位置にあるときの状態図である。
【図３】押釦操作機構とロック機構とを示す横断面図で、（ａ）は可動ロクロが展開位置または折畳位置にあるときのロック状態図、（ｂ）は可動ロクロが展開位置または折畳位置にあるときのロック解除状態図、（ｃ）可動ロクロが展開位置と折畳位置との途中にあるときの状態図である。
【考案を実施するための形態】
【００１４】
次に、本考案による逆閉じ傘の具体的な実施の形態について、図面を参照しつつ説明する。
【００１５】
＜逆閉じ傘の概略説明＞
本実施形態の逆閉じ傘１は、図１（ａ）に示されるように、使用のために開かれた状態において、上側に配される上側傘布２と、下側に配される下側傘布３とを備え、使用時には上側傘布２がその上面（表面）全体を上方に向けるように展開される一方、図１（ｂ）に示される折畳状態では谷折りで二つ折りされた上側傘布２の表面同士を向かい合わせるように上側傘布２が内側に折り畳まれるとともに、下側傘布３の下面（裏面）が外側に露出するように下側傘布３が折り畳まれる。この逆閉じ傘１は、雨降りの日の使用後に図１（ｂ）に示されるような折畳状態とすれば、雨に濡れた上側傘布２の表面が内側に折り畳まれる一方で、雨に濡れていない下側傘布３の裏面が外側に露出した状態となるため、例えば電車内に持ち込んで周辺利用客のズボンやスカート等の衣類に触れたとしても濡らすことがなく、また車に乗る込む際に上側傘布２の表面に付着している水滴が頭や手元に落ちてくることもなく、車内の床や座席シート上に置いても床や座席シートを濡らすようなことがないという利点がある。
なお、符号３ａにて示されるのは、図１（ｂ）に示されるように逆閉じ傘１が閉じた状態を保持するための拘束バンドである。
【００１６】
図２（ａ）および（ｂ）に示されるように、逆閉じ傘１は、上下方向に延びる傘軸４を備えている。傘軸４の下端部には持ち手５が取り付けられる一方、傘軸４の上端部には固定ロクロ６が取り付けられている。傘軸４には、可動ロクロ７が、傘軸４の上端部寄りの展開位置（図２（ａ）参照）と、傘軸４の下端部寄りの折畳位置（図２（ｂ）参照）との間で往復移動可能に装着されている。
【００１７】
固定ロクロ６には、複数（本例では８本）の主骨１０が、傘軸４の中心線回りの周方向に等角度間隔で枢着されている。主骨１０は、固定ロクロ６から傘軸４の径方向外側に向けて順に第１主骨部１１および第２主骨部１２が互いにピン連結されてなり、図２（ｂ）に示されるように、第１主骨部１１と第２主骨部１２とのピン連結部分である中間部が下方に、第２主骨部１２の先端部が上方にそれぞれ向くように内側に折り畳み可能とされている。
【００１８】
第１主骨部１１と可動ロクロ７との間には、第１補助骨１３が配されている。第１補助骨１３の一端部は、第１主骨部１１の先端寄りの部位にピン連結され、第１補助骨１３の他端部は、可動ロクロ７にピン連結されている。
第２主骨部１２と可動ロクロ７との間には、第２補助骨１４が配されている。第２補助骨１４の一端部は、第２主骨部１２の先端寄りの部位にピン連結され、第２補助骨１４の他端部は、可動ロクロ７にピン連結されている。
【００１９】
第１主骨部１１の先端側には、第２主骨部１２とのピン連結部分から延出される延出部１５が形成されている。この延出部１５の先端部には、第２補助骨１４に対し摺動可能で第２補助骨１４を下側から引き上げ状態で支持するＵの字状部材からなる移動ストレッチャー１６がピン連結されている。
【００２０】
第１主骨部１１と移動ストレッチャー１６との間には、引張コイルばね１７が配されている。引張コイルばね１７の一端部は、第１主骨部１１における第１補助骨１３とのピン連結部分と第２主骨部１２とのピン連結部分との間の部位にピン連結され、引張コイルばね１７の他端部は、移動ストレッチャー１６における第２補助骨１４を支持する側の端部とは逆側の端部にピン連結されている。これにより、第１主骨部１１と第２補助骨１４との間で移動ストレッチャー１６が引張コイルばね１７によって弾力性を持って支持されることになり、第１主骨部１１および第２補助骨１４のそれぞれに対する移動ストレッチャー１６の姿勢を、第２補助骨１４に対する摺動の際でも崩すことなく、第２補助骨１４を下側から引き上げ状態で柔軟性を持って安定的に支持することができる。
【００２１】
上記のような骨組構造において、可動ロクロ７を図２（ｂ）に示される折畳位置から図２（ａ）に示される展開位置へと移動させると、第１主骨部１１に対し第１補助骨１３から押し出し力が加わるとともに、第２主骨部１２に対し第２補助骨１４から押し出し力が加わって、主骨１０が傘軸４の側方に張り出すように展開される。これとは逆に、可動ロクロ７を図２（ａ）に示される展開位置から図２（ｂ）に示される折畳位置へと移動させると、第１主骨部１１に対し第１補助骨１３から引き込み力が加わるとともに、第１主骨部１１に対し第２主骨部１２を近づけるように上方に折り曲げるような力が第２補助骨１４から第２主骨部１２へと加わって、主骨１０がその中間部を下方に先端部を上方にそれぞれ向けるように内側に折り畳まれる。
【００２２】
上側傘布２は、固定ロクロ６に取り付けられるとともに、主骨１０に対し要所が縫合等の手段によって取り付けられているため、主骨１０が傘軸４の側方に張り出すように展開されるに伴い、上側傘布２がその上面全体を上方に向けるように展開される一方で、主骨１０がその中間部を下方に先端部を上方にそれぞれ向けるように内側に折り畳まれるに伴い、上側傘布２の径方向中間部を下方に径方向端部を上方にそれぞれ向けるように谷折りで二つ折りされた上側傘布２の上面同士を向かい合わせるように上側傘布２が内側に折り畳まれる。
【００２３】
下側傘布３は、可動ロクロ７に取り付けられるとともに、第２補助骨１４に対し要所が縫合等の手段によって取り付けられ、更に第２主骨部１２の先端部に縫合等の手段によって取り付けられているため、主骨１０が傘軸４の側方に張り出すように展開されるのに連動して第２補助骨１４が側方に張り出すように展開されるに伴い、下側傘布３がその下面全体を下方に向けるように展開される一方で、主骨１０がその中間部を下方に先端部を上方にそれぞれ向けるように内側に折り畳まれるのに連動して第２補助骨１４がその基端部を下方に先端部を上方にそれぞれ向けるように内側に折り畳まれるに伴い、下側傘布３の下面（裏面）が外側に露出するように折り畳まれる。
【００２４】
本実施形態の逆閉じ傘１においては、傘の開閉動作開始時に傘軸４に対する可動ロクロ７のロック解除を後述する押釦２３の押操作で行うことができるようにされている。以下、押釦の押操作でロック解除可能なロック機構について説明する。
【００２５】
＜押釦操作機構の説明＞
図２（ａ）および（ｂ）に示されるように、可動ロクロ７には、その下側に人の手指で摘まんで押し引き操作可能な摘み部２０が一体的に設けられている。摘み部２０は、図３（ａ）に示されるように、傘軸４に外嵌可能な円筒形状で外周面に開口部２１を有している。摘み部２０には、押釦操作機構２２が組み込まれている。押釦操作機構２２は、主に、押釦２３と圧縮コイルばね２４とにより構成されている。
【００２６】
押釦２３は、摘み部２０の開口部２１に嵌め込まれる釦部２５を備え、摘み部２０と傘軸４との間に組み込まれて傘軸４の外側に掛け回されるＵ字状操作部２６を釦部２５に一体的に設け、このＵ字状操作部２６の内周面に釦部２５と対向するように位置決め突起２７を形成してなるものである。
圧縮コイルばね２４は、押釦２３のＵ字状操作部２６と摘み部２０との間に配されている。圧縮コイルばね２４の一端側は、Ｕ字状操作部２６における位置決め突起２７の反対側に形成されたばね取付突起２８に嵌め付けられている。圧縮コイルばね２４の他端側は、ばね取付突起２８と対向するように摘み部２０に形成された窪み部２９に嵌め込まれている。
押釦操作機構２２においては、圧縮コイルばね２４の弾性反発力で位置決め突起２７を傘軸４の中心線に向けて付勢する一方、押釦２３の押操作で位置決め突起２７をその付勢方向と逆方向に移動させることができるようになっている。
なお、符号２０ａにて示されるのは、押釦２３のスライド運動を案内する案内板であり、符号２０ｂにて示されるのは、押釦２３の押し込み量を規制するストッパである。
【００２７】
＜上側開口および下側開口の説明＞
図３（ａ）に示されるように、傘軸４には、可動ロクロ７が展開位置（図２（ａ）参照）にあるときに位置決め突起２７が係合する上側開口３１が形成されるとともに、可動ロクロ７が折畳位置（図２（ｂ）参照）にあるときに位置決め突起２７が係合する下側開口３２が形成されている。
なお、可動ロクロ７が展開位置（図２（ａ）参照）と折畳位置（図２（ｂ）参照）との間の途中に位置しているときには、図３（ｃ）に示されるように、圧縮コイルばね２４の付勢力によって位置決め突起２７が傘軸４の外周面に押し付けられている。
【００２８】
次に、摘み部２０が傘軸４の軸回りに回動するのを阻止するための機構について説明する。
【００２９】
＜摘み部回動阻止機構の説明＞
図１（ｃ）に示されるように、摘み部２０の下部における内周側には、ガイド突起３５が突設されている。傘軸４には、可動ロクロ７が展開位置（図２（ａ）参照）と折畳位置（図２（ｂ）参照）との間で往復移動する際にそのガイド突起３５と係合するガイド溝３６が刻設されている。これらガイド突起３５とガイド溝３６とを係合させることにより、摘み部２０が傘軸４の軸回りに回動するのを阻止することができる。
【００３０】
＜作用効果の説明＞
以上に述べたように構成される逆閉じ傘１において、可動ロクロ７を展開位置（図２（ａ）参照）と折畳位置（図２（ｂ）参照）との間で往復移動させる際に、摘み部２０を傘軸４の軸回りに回動させるような操作力を加えてしまうことがある。
本実施形態の逆閉じ傘１によれば、摘み部２０のガイド突起３５と傘軸４のガイド溝３６との係合によって摘み部２０が傘軸４の軸回りに回動することが阻止されているので、傘軸４の中心線に向けて付勢される位置決め突起２７と傘軸４の上側開口３１および下側開口３２との傘軸４の軸回りの相対位置がずれるのを確実に防ぐことができる。したがって、可動ロクロ７を折畳位置（図２（ｂ）参照）から展開位置（図２（ａ）参照）へと移動させると、図３（ａ）に示されるように、傘軸４の上側開口３１に位置決め突起２７が確実に係合されることになり、傘の開動作終了時に傘軸４に対し可動ロクロ７を自動的に確実にロックすることができる。また、可動ロクロ７を展開位置（図２（ａ）参照）から折畳位置（図２（ｂ）参照）へと移動させると、図３（ａ）に示されるように、傘軸４の下側開口３２に位置決め突起２７が確実に係合されることになり、傘の閉動作終了時に傘軸４に対し可動ロクロ７を自動的に確実にロックすることができる。
【００３１】
また、本実施形態の逆閉じ傘１によれば、図３（ｂ）に示されるように、傘軸４の中心線に向けて付勢される位置決め突起２７を押釦２３の押操作でその付勢方向と逆方向に移動させることができるので、傘の開動作開始時、すなわち可動ロクロ７を折畳位置（図２（ｂ）参照）から展開位置（図２（ａ）参照）に向けて移動を開始する時、押釦２３の押操作によって位置決め突起２７を付勢方向と逆方向に移動させれば、傘軸４の下側開口３２に位置決め突起２７が係合している状態を容易に解除することができ、傘の開動作開始時に傘軸４に対する可動ロクロ７のロック解除を押釦２３の押操作で容易に行うことができる。また、傘の閉動作開始時、すなわち可動ロクロ７を展開位置（図２（ａ）参照）から折畳位置（図２（ｂ）参照）に向けて移動を開始する時、押釦２３の押操作によって位置決め突起２７を付勢方向と逆方向に移動させれば、傘軸４の上側開口３１に位置決め突起２７が係合している状態を容易に解除することができ、傘の閉動作開始時に傘軸４に対する可動ロクロ７のロック解除を押釦２３の押操作で容易に行うことができる。
【００３２】
以上、本考案の逆閉じ傘について、一実施形態に基づいて説明したが、本考案は上記実施形態に記載した構成に限定されるものではなく、その趣旨を逸脱しない範囲において適宜その構成を変更することができるものである。
【産業上の利用可能性】
【００３３】
本考案の逆閉じ傘は、傘の開閉動作開始時に傘軸に対する可動ロクロのロック解除を押釦の押操作で容易に行うことができるとともに、傘の開閉動作終了時に傘軸に対し可動ロクロを自動的に確実にロックすることができるという特性を有していることから、産業上の利用可能性が大である。
【符号の説明】
【００３４】
１    逆閉じ傘
２    上側傘布
３    下側傘布
４    傘軸
７    可動ロクロ
１０  主骨部
２０  摘み部
２２  押釦操作機構
２３  押釦
２７  位置決め突起
３１  上側開口
３２  下側開口
３５  ガイド突起
３６  ガイド溝
【図１】
0003206616.tif 000003
【図２】
0003206616.tif 000004
【図３】
0003206616.tif 000005